(57)【要約】【課題】ライティングダクトに装着可能な直管型照明器具取付装置を提供する。【解決手段】照明器具支持部３は、着脱用突起部４を戴載し、直管型照明部２を支持するとともに、直管型照明部２に電源を供給する配線をその内部に埋設している。着脱用突起部４は、ライティングダクトに装着されたときにライティングダクトと電気的に接続するターミナルを有している。照明器具支持部３に埋設されている配線は、ターミナルと電気的に接続されている。照明器具支持部３の上面には板バネ３ｃ，３ｃ'が形成されている。この板バネは、天井面に当接保持されて、着脱用突起部４（ライティングダクト）に対し回動設定された照明器具支持部３を安定的に保持する。【選択図】図２
2014017169.tif 000002
【特許請求の範囲】
【請求項１】
直管型の照明器具が取り付けられるライティングダクト対応の直管型照明器具取付装置において、
ライティングダクトに装着された状態で当該ライティングダクトと電気的に接続して電源が供給されるターミナルを有するライティングダクト着脱部と、
前記ライティングダクト着脱部に連結されて前記照明器具を支持するとともに、前記ターミナルと電気的に接続して電源が供給される照明器具支持部と、
を備えることを特徴とする直管型照明器具取付装置。
【請求項２】
請求項１に記載の直管型照明器具取付装置において、
前記ライティングダクト着脱部および前記照明器具支持部は、
回動可能な形で連結されている、
ことを特徴とする直管型照明器具取付装置。
【請求項３】
請求項２に記載の直管型照明器具取付装置において、
前記照明器具支持部が前記ライティングダクト着脱部に対して回動するための回転軸およびその軸受けからなる軸構造を有している、
ことを特徴とする直管型照明器具取付装置。
【請求項４】
請求項１から請求項３の何れかに記載の直管型照明器具取付装置において、
前記照明器具支持部は、
前記ライティングダクト着脱部が前記ライティングダクトに取り付けられた状態で、天井面や壁面などの面部分に当接して保持される板バネ部材を有する
ことを特徴とする直管型照明器具取付装置。
【発明の詳細な説明】
【技術分野】
【０００１】
本発明は、ライティングダクトに着脱可能な直管型照明器具取付装置に関する。
【背景技術】
【０００２】
天井に設定され、また天井から吊り下げられるライティングダクトと、それに装着される照明器具とからなる照明装置が知られている。
【０００３】
ライティングダクトは、装着された照明器具に対して給電可能であり、かつ、照明器具の装着位置を長手方向に沿って移動させることが可能である。
【０００４】
ライティングダクトは、例えばライティングレール（商標）、ダクトレール、給電ダクト、スライドコンセント等とも称されている。本発明においては単なる説明の便宜上、これらの代表表示として「ライティングダクト」を用いる。
【０００５】
ライティングダクトはJIS C8366にて規格化されている。ライティングダクトには、プラグタイプと称されるライティングダクトの規格に合致した直接取り付け可能な照明器具のほかに、ライティングダクト用の引っ掛けシーリング（ペンダント照明等を吊るして点灯させるための器具）や、コンセントプラグなどが装着可能である。
【０００６】
このライティングダクトに着脱可能に取り付けられた複数のコンセントプラグは、ライティングダクトの長手方向における任意の部位に取り付けることができる。したがって、各コンセントプラグの取り付け位置を適宜に変更して、コンセントプラグに接続された照明器具の位置を変えることにより、照明に変化を持たせることができる（例えば、特許文献１）。
【先行技術文献】
【特許文献】
【０００７】
【特許文献１】特開平７−１９２５２２号公報
【発明の概要】
【発明が解決しようとする課題】
【０００８】
従来、ライティングダクトには、所謂スポットライトや小型のペンダントライトなどの照明が吊り下げられていた。換言すれば、例えば、直管型蛍光灯や直管型ＬＥＤ（Light Emitting Diode）ランプのような、ライティングダクトが設けられる天井面または壁面に対して平行にある程度の長さを有する照明器具が、ライティングダクトに取り付けられることは無かった。
【０００９】
そこで、本発明は、上記課題を解決すること、すなわちライティングダクトに装着可能な直管型照明器具用の取付け装置を提供することを目的とする。
【課題を解決するための手段】
【００１０】
本発明は、以上の課題を次のようにして解決する。
（１）直管型の照明器具（例えば、後述の照明本体部２ａ）が取り付けられるライティングダクト対応の直管型照明器具取付装置において、
ライティングダクト（例えば後述のライティングダクト６）に装着された状態で当該ライティングダクトと電気的に接続して電源が供給されるターミナル（例えば後述のターミナル４ｃ，４ｃ'）を有するライティングダクト着脱部（例えば後述の着脱用突起部４）と、
前記ライティングダクト着脱部に連結されて前記照明器具を支持するとともに、前記ターミナルと電気的に接続して電源が供給される照明器具支持部（例えば、後述の照明器具支持部３）と、
を備える。
（２）上記（１）において、
前記ライティングダクト着脱部および前記照明器具支持部は、
回動可能な形で連結されている。
（３）前記（１）において、
前記照明器具支持部およびライティングダクト着脱部は、
相対的に回動するための軸（例えば後述の軸５ｂ）およびその軸受け（例えば後述の軸受け５ａ）からなる軸構造部（例えば後述の軸構造部５）を介する形で連結している。
（４）前記（１）〜（３）のいずれかにおいて、
前記照明器具支持部は、
前記ライティングダクト着脱部が前記ライティングダクトに取り付けられた状態で、天井や壁などの既設面部分に当接して保持される板バネ（例えば後述の板バネ３ｃ，３ｃ'）を有する。
【００１１】
このような上記（１）〜（４）それぞれの構成からなる直管型照明器具取付装置を本発明の対象としている。
【発明の効果】
【００１２】
本発明は、以上の課題解決手段により、
(11)ライティングダクトに装着される直管型照明器具取付装置を提供する、
(12)ライティングダクトが装着されている天井面などに対して直管型照明器具を任意に回動させた状態で設定する、
(13)ライティングダクトが装着されている天井面などに対して直管型照明器具を間接的に固定させる、
ことなどができる。
【図面の簡単な説明】
【００１３】
【図１】直管型照明器具取付装置１の全体概観を示す図である。
【図２】板ばね３ｃ，３ｃ'を有する直管型照明器具取付装置１'の全体概観を示す図である。
【図３】ライティングダクト６および着脱用突起部４について説明するための図である。
【図４】直管型照明器具取付装置１のライティングダクト６への装着について説明するための図である。
【図５】直管型照明器具取付装置１のライティングダクト６への装着について説明するための図である。
【図６】着脱用突起部４の中心軸線を通る、直管型照明器具取付装置１の一部の断面図である。
【図７】直管型照明部２とそれを支持する照明器具支持部３とが、着脱用突起部４に対して回動する様子を示す図である。
【発明を実施するための形態】
【００１４】
以下、本発明の一実施の形態の直管型照明器具取付装置について、図１〜図７を参照しながら説明する。
【００１５】
各図で用いるアルファベット付きの参照番号の構成要素（例えば、照明本体部２ａ）は、原則として、当該参照番号の数字部分の構成要素（例えば、直管型照明部２）の一部であることを示している。
【００１６】
図１〜図７において、
１，１'は、後述する直管型照明部２、照明器具支持部３、着脱用突起部４、および、軸構造部５を含んで構成された、ライティングダクト対応の直管型照明器具取付装置、
をそれぞれ示している。
【００１７】
また、
２は、直管型照明部、
２ａは、蛍光管やＬＥＤなどよりなる照明本体部、
２ｂ，２ｂ'は、照明本体部２ａの両端に設けられ、後述する照明器具支持部３の支持接続部３ｂ，３ｂ'に把持されるとともに、後述するターミナル４ｃ，４ｃ'と電気的に接続された配線（図示せず）と、電気的に接続され、照明本体部２ａに電力を供給する接続部、
をそれぞれ示している。
【００１８】
また、
３は、照明器具支持部、
３ａは、着脱用突起部４を脱落しないように戴載し、後述するターミナル４ｃ，４ｃ'と電気的に接続された配線を内部に有し、後述する支持接続部３ｂ，３ｂ'により支持される照明本体部２ａと略平行となるように配設された支持体、
３ｂ，３ｂ'は、支持体３ａの両端に設けられ、直管型照明部２を支持するとともに、後述するターミナル４ｃ，４ｃ'と電気的に接続された配線と接続部２ｂ，２ｂ'とを電気的に接続させる、支持接続部、
３ｃ，３ｃ'は、その内端側が支持体３ａに固定されて、外端側が、照明器具支持部３を後述のライティングダクト６に取り付けた状態において天井や壁などにいわば突っ張った形で保持される板バネ（図２，図４，図５，図７参照）、
をそれぞれ示している。
【００１９】
また、
４は、直管型照明器具取付装置１を、後述するライティングダクト６に着脱可能とするための着脱用突起部、
４ａは、着脱用突起部４の本体を構成し、後述する軸構造部５の軸５ｂと固接され、支持体３ａから脱落しないように構成されているベース、
４ｂ，４ｂ'は、後述するライティングダクト６の突出部６ｃ，６ｃ'に係合可能な形状である係合片、
４ｃ，４ｃ'は、直管型照明器具取付装置１が後述するライティングダクト６に装着されてその突出部６ｃ，６ｃ'に係合片４ｂ，４ｂ'が係合された場合に、後述する側導体６ｅ，６ｅ'に接触して当該ライティングダクトの電源側に接続されるターミナル、
４ｄは、後述のストッパーピン４ｅと連動し、ライティングダクト６に装着済みの着脱用突起部４（照明器具支持部３，直管型照明器具取付装置１）を取り外す際に用いられる解除操作部、
４ｅは、ライティングダクト６への非装着時に着脱用突起部４の上面に突出する方向に付勢された状態で設けられ、当該ライティングダクトに直管型照明器具取付装置１が装着された状態で後述の突出部６ｃ，６ｃ'の先端を係止し、着脱用突起部４の取り外し方向への回動を阻止するストッパーピン、
４ｆ，４ｆ'は、ターミナル４ｃ，４ｃ'を固定するとともに、照明器具支持部３の内部に設けられている配線または配線と接続されている端子などと、ターミナル４ｃ，４ｃ'の一部とを圧着させて電気的に接続するためのビス、
をそれぞれ示している。
【００２０】
また、
５は、照明器具支持部３と着脱用突起部４とを接続するとともに、照明器具支持部３が着脱用突起部４に対して、ライティングダクト６との平行平面内で回転することを可能とする軸構造部、
５ａは、支持体３ａ内部に埋設され、軸５ｂを受ける軸受け、
５ｂは、軸受け５ａの内部に挿入され、着脱用突起部４に固接され、当該軸受け内で回転可能なように、すなわち着脱用突起部４に対して、支持体３ａが、ライティングダクト６が設置されている天井面または壁面と平行方向に回転することを可能とするための軸、
５ｃは、軸５ｂが支持体３ａから脱落してしまわないように設けられている軸固定部、
をそれぞれ示している。
【００２１】
また、
６は、ライティングダクト（図３など参照）、
６ａは、ライティングダクト本体、
６ｂは、ライティングダクト本体６ａの内部を外部に開放する開口部、
６ｃ，６ｃ'は、互いに対向状態で突出し、かつ開口部６ｂに沿ってライティングダクト長手方向に延び、係合片４ｂ，４ｂ'と係合する突出部、
６ｄ，６ｄ'は、ライティングダクト本体６ａの内部の両側に一対で備えられ、ターミナル４ｃ，４ｃ'を保持する保持部、
６ｅ，６ｅ'は、保持部６ｄ，６ｄ'の内側面に形成されて、ライティングダクト長手方向に延びる一対の側導体（その一方が電圧側導体であり、他方が接地側導体）、
をそれぞれ示している。
【００２２】
図１の直管型照明器具取付装置１は、直管型照明部２、照明器具支持部３、着脱用突起部４および軸構造部５で構成されている。
【００２３】
直管型照明部２は、照明本体部２ａおよび接続部２ｂ，２ｂ'で構成されている。
【００２４】
照明本体部２ａは、接続部２ｂ，２ｂ'を介して電力の供給を受け、蛍光管やＬＥＤラインライトなど、ユーザのスイッチ操作等に基づいて、発光するものである。接続部２ｂ，２ｂ'は、照明本体部２ａの両端に設けられ、照明器具支持部３の支持接続部３ｂ，３ｂ'に把持されるとともに、配線（図示せず）と電気的に接続することにより、照明本体部２ａに電力を供給する。配線は、照明器具支持部３の内部に埋設され、ターミナル４ｃ，４ｃ'と電気的に接続されている。
【００２５】
図１の照明器具支持部３は、支持体３ａおよび支持接続部３ｂ，３ｂ'で構成されている。
【００２６】
支持体３ａは、軸構造部５により着脱用突起部４を戴載し、ターミナル４ｃ，４ｃ'と電気的に接続された配線を内部に有する。支持接続部３ｂ，３ｂ'は、支持体３ａの両端に設けられ、直管型照明部２を把持するとともに、ターミナル４ｃ，４ｃ'と電気的に接続された配線と接続部２ｂ，２ｂ'とを電気的に接続させることにより、接続部２ｂ，２ｂ'を介して照明本体部２ａに電力を供給する。
【００２７】
図１に示されるように、照明本体部２ａは、支持体３ａと略平行になるように、支持接続部３ｂ，３ｂ'により支持され、電力の供給を受ける。
【００２８】
着脱用突起部４は、軸構造部５により支持体３ａから脱落しないように戴載され、直管型照明器具取付装置１をライティングダクト６に着脱可能とするための構造を有している。着脱用突起部４の構成の詳細については、図３および図６を用いて後述する。
【００２９】
軸構造部５は、照明器具支持部３が着脱用突起部４に対して、ライティングダクト６と平行方向に回転することを可能とする機構である。軸構造部５の構成の詳細については、図６を用いて後述する。
【００３０】
また、図２および図７に示される直管型照明器具取付装置１'のように、照明器具支持部３に、さらに板バネ３ｃ，３ｃ'を設けるようにしてもよい。板ばね３ｃ，３ｃ'は、直管型照明部２の長手方向に対して垂直、かつ、ライティングダクト６が設置されている天井や壁などに対して垂直方向に、弾性エネルギーを蓄積するような方向で、支持体３ａに固定されている。
【００３１】
板バネ３ｃ，３ｃ'を利用しないときには、例えば、当該板バネの支持接続部３ｂ，３ｂ'それぞれに設けられた凹部または凸部などに引っ掛けて、支持体３ａに固定されるようにすると好適である。
【００３２】
以下、必要に応じて、直管型照明器具取付装置１，１'の両者を「直管型照明器具取付装置１」と記す。
【００３３】
図３〜図５を参照して、ライティングダクト６に直管型照明器具取付装置１が装着される場合について説明する。
【００３４】
まず、図３を参照して、直管型照明器具取付装置１の着脱用突起部４の外部構造と、ライティングダクト６の構造について説明する。
【００３５】
着脱用突起部４は、支持体３ａの長手方向の略中央に設定されると好適である。着脱用突起部４の本体は、ベース４ａで構成されている。ベース４ａには、ライティングダクト６に直管型照明器具取付装置１が装着係止された場合にその取り外しに用いられる解除操作部４ｄが設けられている。ベース４ａの上部、すなわち、ライティングダクト６と接続されるときに開口部６ｂに挿入される側の両側面には、互いに離間するようにほぼ水平に突出する一対の係合片４ｂ，４ｂ'が形成されている。
【００３６】
係合片４ｂ，４ｂ'のさらに上部には、電気伝導性の高い金属等で構成されているターミナル４ｃ，４ｃ'の上端が露出している。この形状により、ライティングダクト６に直管型照明器具取付装置１が装着され、突出部６ｃ，６ｃ'に係合片４ｂ，４ｂ'が係合された場合に、ターミナル４ｃ，４ｃ'のそれぞれは、側導体６ｅ，６ｅ'に接触して電気的に接続される。ターミナル４ｃ，４ｃ'は、ベース４ａに挿通され、その下端部分は、ベース４ａ内部で、ビス４ｆ，４ｆ'により固定されている。ビス４ｆ，４ｆ'については、図６において説明する。
【００３７】
ライティングダクト６は、ライティングダクト本体６ａを有している。ライティングダクト本体６ａは、断面四角形の直管状に形成されている。ライティングダクト本体６ａは、天井から所定の器具を用いて吊り下げられるか、その上面を天井、または、壁面に押圧接触させた状態で、天井、または、壁面に取り付けられている。
【００３８】
ライティングダクト本体６ａの下面には、ライティングダクト本体６ａの長手方向に沿って延び、ライティングダクト本体６ａの内部を外部に開放する開口部６ｂが形成されている。この開口部６ｂの両側には、互いに接近するように突出し、かつ開口部６ｂに沿って延びる突出部６ｃ，６ｃ'が形成されている。
【００３９】
ライティングダクト本体６ａの突出部６ｃ，６ｃ'よりさらに上方内側の両側部には、一対の保持部６ｄ，６ｄ'が形成されている。保持部６ｄ，６ｄ'は、突出部６ｃ，６ｃ'と上下の関係で対向し、かつ突出部６ｃ，６ｃ'と平行に延びている。保持部６ｄ，６ｄ'の内側面には、保持部６ｄ，６ｄ'に沿って延びる一対の側導体６ｅ，６ｅ'が設けられ、電源（図示せず）に接続されている。側導体６ｅ，６ｅ'の一方が電圧側導体であり、他方が、接地側導体である。
【００４０】
直管型照明器具取付装置１は、着脱用突起部４の係合片４ｂ，４ｂ'が、その突出方向をライティングダクト６の長手方向に向けた状態、すなわち図４に示されるような、着脱用突起部４とライティングダクト６との位置関係においてライティングダクト本体６ａの内部にその開口部６ｂから挿脱可能である。
【００４１】
直管型照明器具取付装置１の着脱用突起部４を上面側から、すなわち図４矢印Ａの方向から、ライティングダクト６の開口部６ｂの内部に挿入する。このとき、ストッパーピン４ｅは突出部６ｃ'の下面に当接し、弾性体（図示せず）の付勢に抗して下方に押し込まれる。その後、着脱用突起部４を、その中心軸線を中心として９０°回動させる、すなわち、矢印Ｂ方向に回動させると、図５に示されるように、直管型照明器具取付装置１は、ライティングダクト６が設置されている天井または壁面に対して平行に、ライティングダクト６に装着される。
【００４２】
このとき、ライティングダクト６の突出部６ｃ，６ｃ'と係合片４ｂ，４ｂ'が係合して、突出部６ｃ，６ｃ'が係合片４ｂ，４ｂ'を支持するとともに、保持部６ｄ，６ｄ'がターミナル４ｃ，４ｃ'を保持し、ターミナル４ｃ，４ｃ'と側導体６ｅ，６ｅ'とが押圧接触させられ、電気的に接続される。突出部６ｃ'の下面で押し込まれていたストッパーピン４ｅは、開口部６ｂに至って、弾性体（図示せず）の付勢によって突出し、突出部６ｃ'の先端縁を係止し、着脱用突起部４の取り外し方向への回動を阻止する。
【００４３】
同様にして、直管型照明器具取付装置１の着脱用突起部４がライティングダクト６に取り付けられた、図５に示される状態から、解除操作部４ｄを下方へスライドしてストッパーピン４ｅを下動させながら、直管型照明器具取付装置１の着脱用突起部４を矢印Ｂ方向とは逆方向に９０°回動させて、係合片４ｂ，４ｂ'の突出方向をライティングダクト６の長手方向に一致させると、係合片４ｂ，４ｂ'が開口部６ｂから下方へ脱出可能になる。そして、着脱用突起部４を開口部６ｂから下方へ抜き出すことにより、直管型照明器具取付装置１をライティングダクト６から取り外すことができる。
【００４４】
また、図７で示すように、直管型照明器具取付装置１においては、着脱用突起部４の上下方向の中心軸線（軸５ｂ）を中心として、直管型照明部２とそれを支持する照明器具支持部３とが着脱用突起部４に対して回動可能である。
【００４５】
図６は、着脱用突起部４の中心軸線（軸５ｂ）を通る、直管型照明器具取付装置１の一部断面図である。
【００４６】
係合片４ｂ，４ｂ'の上面に露出されているターミナル４ｃ，４ｃ'は、ベース４ａに挿通され、その下端部分は、ベース４ａ内部で、ビス４ｆ，４ｆ'により固定されている。ビス４ｆ，４ｆ'は、支持接続部３ｂ，３ｂ'および接続部２ｂ，２ｂ'を介して照明本体部２ａに電力を供給するために照明器具支持部３の内部に配設された配線（図示せず）と、電気的に接続されている。
【００４７】
軸受け５ａは、支持体３ａに埋設されている。軸５ｂは、着脱用突起部４のベース４ａと固接されており、支持体３ａに埋設されている軸受け５ａから抜けてしまわないように、軸固定部５ｃにより上下運動が制限されている。軸固定部５ｃは、軸５ｂの回転運動は妨げない構成となっているので、軸５ｂは、軸受け５ａと中心軸を同じくして回転可能である。
【００４８】
軸５ｂおよびこれと一体の着脱用突起部４と、軸受け５ａおよびこれと一体の照明器具支持部３（直管型照明器具取付装置１）とは相対的に回転可能である。すなわち、着脱用突起部４が固定されている状態においては、照明器具支持部３が着脱用突起部４に対して、ライティングダクト６が設置されている天井や壁面と平行方向に回転することを可能とする機構が軸構造部５により構成されている。したがって、直管型照明器具取付装置１は、ライティングダクト６が設置されている天井や壁面と平行方向に回動することが可能である。
【００４９】
なお、軸受け５ａに対して軸５ｂが相対的に３６０度自由に回動することができるようにするのではなく、例えば、ラッチ構造を設けることなどにより、軸受け５ａに対する軸５ｂの相対的回転を、軸５ｂに一定以上の負荷がかかった場合に制限するとともに、軸受け５ａの回転静止角度を予め決めることができるようにしても良い。
【００５０】
また、直管型照明器具取付装置１'が、ライティングダクト６が設置されている天井や壁面と平行方向に回転され、図７に示されるように、ライティングダクト６と平行状態ではない場合、板ばね３ｃ，３ｃ'を、例えば、支持接続部３ｂ，３ｂ'のそれぞれに設けられた凹部または凸部などの引っ掛け部分から離して、その少なくとも一部が、ライティングダクト６が設置されている天井や壁面に接するようにしても良い。これにより、天井面や壁面に対して、ばね３ｃ，３ｃ'の形状復元力による応力が発生するので、着脱用突起部４に対する支持体３ａの回転角度を固定保持することができ、天井面や壁面に対して支持体３ａを略平行に保つようにすることができる。
【００５１】
また、本発明の実施の形態は、上述した実施の形態に限定されるものではなく、本発明の要旨を逸脱しない範囲において種々の変更が可能である。
【符号の説明】
【００５２】
１，１'：直管型照明器具取付装置
２：直管型照明部
２ａ：照明本体部
２ｂ，２ｂ'：接続部
３：照明器具支持部（支持部）
３ａ：支持体
３ｂ，３ｂ'：支持接続部
３ｃ，３ｃ'：板ばね
【００５３】
４：着脱用突起部
４ａ：ベース
４ｂ，４ｂ'：係合片
４ｃ，４ｃ'：ターミナル
４ｄ：解除操作部
４ｅ：ストッパーピン
４ｆ，４ｆ'：ビス
５：軸構造部
５ａ：軸受け
５ｂ：軸
５ｃ：軸固定部
【００５４】
６：ライティングダクト
６：ライティングダクト本体
６ｂ：開口部
６ｃ，６ｃ'：突出部
６ｄ，６ｄ'：保持部
６ｅ，６ｅ'：側導体
【図１】
2014017169.tif 000003
【図２】
2014017169.tif 000004
【図３】
2014017169.tif 000005
【図４】
2014017169.tif 000006
【図５】
2014017169.tif 000007
【図６】
2014017169.tif 000008
【図７】
2014017169.tif 000009